(57)【特許請求の範囲】
【請求項１】
複数のカバーを順次重ね合わせ、工作機械の可動部の移動方向に伸縮自在に形成した伸縮カバーを備える工作機械において、
該伸縮カバーの摺動箇所に潤滑剤を供給する潤滑剤供給手段と、
前記潤滑剤供給手段から前記伸縮カバーの摺動箇所に供給する前記潤滑剤の量を調整するための潤滑剤供給量調整手段、
とを有し、
前記潤滑剤供給量調整手段は、切粉の発生量に違いを生じる加工条件に対応して、供給する前記潤滑剤の量を調整し、
前記潤滑剤供給量調整手段は、該潤滑剤供給手段の制御盤に設けられたボタン、ツマミ、またはレバー、若しくは、制御装置によって、前記潤滑剤の量を調整する、
ことを特徴とする工作機械。
【請求項２】
複数のカバーを順次重ね合わせ、工作機械の可動部の移動方向に伸縮自在に形成した伸縮カバーを備える工作機械において、
該伸縮カバーの摺動箇所に潤滑剤を供給する潤滑剤供給手段と、
前記潤滑剤供給手段から前記伸縮カバーの摺動箇所に供給する前記潤滑剤の量を調整するための潤滑剤供給量調整手段、
とを有し、
前記潤滑剤供給量調整手段は、可動側潤滑剤供給部材と固定側潤滑剤供給部材を備え、
前記潤滑剤供給量調整手段は、前記潤滑剤を供給する前記伸縮カバーの摺動箇所の場所ごとに、前記可動側潤滑剤供給部材と前記固定側潤滑剤供給部材に供給する前記潤滑剤の量を調整し、
前記潤滑剤供給量調整手段は、該潤滑剤供給手段の制御盤に設けられたボタン、ツマミ、またはレバー、若しくは、制御装置によって、前記潤滑剤の量を調整する、
ことを特徴とする工作機械。
【請求項３】
前記潤滑剤供給量調整手段は、加工するワークの材質による切粉の性質の違いに対応して、供給する前記潤滑剤の量を調整する、
ことを特徴とする請求項１または２に記載の工作機械。
【請求項４】
前記潤滑剤供給量調整手段は、前記工作機械の稼働時間の違いに対応して、供給する前記潤滑剤の量を調整する、
ことを特徴とする請求項１乃至３のいずれか１つに記載の工作機械。
【請求項５】
前記潤滑剤供給量調整手段は、前記潤滑剤供給手段から前記伸縮カバーの摺動箇所に前記潤滑剤を供給する頻度を調整する、
ことを特徴とする請求項１に記載の工作機械。
【請求項６】
前記潤滑剤供給量調整手段は、前記潤滑剤を供給する前記伸縮カバーの摺動箇所の場所によって、前記潤滑剤を供給する頻度を調整する、
ことを特徴とする請求項５に記載の工作機械。
【請求項７】
前記潤滑剤供給量調整手段は、前記加工条件によって、前記潤滑剤を供給する頻度を調整する、ことを特徴とする請求項５または６に記載の工作機械。
【請求項８】
前記潤滑剤供給量調整手段は、加工するワークの材質による切粉の違いに対応して、前記潤滑剤を供給する頻度を調整する、
ことを特徴とする請求項５乃至７のいずれか１つに記載の工作機械。
【請求項９】
前記潤滑剤供給量調整手段は、前記工作機械の稼働時間の違いに対応して、前記潤滑剤を供給する頻度を調整する、
ことを特徴とする請求項５乃至８のいずれか１つに記載の工作機械。
【発明の詳細な説明】
【技術分野】
【０００１】
本発明は、保護カバーを有する工作機械に関し、特に機械の移動に伴って可動する保護カバーの動きを滑らかするのに適した構造を備えた保護カバーを有する工作機械に関する。
【背景技術】
【０００２】
工作機械においては、加工中に発生した切粉が、テーブル、サドルまたはコラムを駆動する部品に堆積するのを防ぐため、または、加工中に使用するクーラントが、テーブル、サドル、またはコラムを駆動する部品に飛散するのを防ぐために、これら部品を覆うように、送り軸の軸移動の際に伸縮するテレスコピックカバーを設けることが一般的である（例えば、特許文献１）。
【０００３】
図３で従来のテレスコピックカバーを備えた工作機械について説明する。図３（ａ）はテレスコピックカバーを備えた工作機械の上面図であり、図３（ｂ）は正面図である。
ベッド１上にはサドル２を介して、ワーク７を固定するためのテーブル３が載置されている。ベッド１の後方には、先端に工具６が取り付けられた主軸５を支持するコラム４が設けられている。ベッド１の周囲にはスプラッシュガード８が設けられ、該スプラッシュガード８はベッド１の上部から工作機械全体を覆うように配置されている。
【０００４】
サドル２とテーブル３の間には、図示しない送り機構が設けられており、当該送り機構を駆動することによりテーブル３が図中矢印方向に移動するように構成されている。そして、テーブル３の移動に伴い上部に露出するサドル２上面、送り機構などを切粉やクーラントなどから保護するために、テーブルの正面部、背面部、両側面部には、それぞれテレスコピックカバー９，１０，１１，１２が設けられている。
【先行技術文献】
【特許文献】
【０００５】
【特許文献１】特開２００１−２４６５３１号公報
【発明の概要】
【発明が解決しようとする課題】
【０００６】
図３に説明するようなテレスコピックカバーを有する工作機械では、テレスコピックカバーにより保護される部品への切粉の堆積やクーラントの飛散を防止することはできるものの、切粉や汚れがテレスコピックカバーに堆積したり、カバー自体の摩擦や、カバー自体が摩耗や変形したりすることによって、テレスコピックカバーが滑らかに動かなくなる場合があり、これが原因となりテレスコピックカバーの破損や加工品の精度低下を招くという問題があった。
【０００７】
そこで、本発明の目的は、テレスコピックカバーなどの機械の移動に伴って可動する保護カバーを有する工作機械において、保護カバーの動きを滑らかするのに適した構造を提供することである。
【課題を解決するための手段】
【０００８】
本願の請求項１に係る発明は、複数のカバーを順次重ね合わせ、工作機械の可動部の移動方向に伸縮自在に形成した伸縮カバーを備える工作機械において、該伸縮カバーの摺動箇所に潤滑剤を供給する潤滑剤供給手段と、前記潤滑剤供給手段から前記伸縮カバーの摺動箇所に供給する前記潤滑剤の量を調整するための潤滑剤供給量調整手段、とを有し、前記潤滑剤供給量調整手段は、切粉の発生量に違いを生じる加工条件に対応して、供給する前記潤滑剤の量を調整し、前記潤滑剤供給量調整手段は、該潤滑剤供給手段の制御盤に設けられたボタン、ツマミ、またはレバー、若しくは、制御装置によって、前記潤滑剤の量を調整する、ことを特徴とする工作機械である。
【０００９】
本願の請求項２に係る発明は、複数のカバーを順次重ね合わせ、工作機械の可動部の移動方向に伸縮自在に形成した伸縮カバーを備える工作機械において、該伸縮カバーの摺動箇所に潤滑剤を供給する潤滑剤供給手段と、前記潤滑剤供給手段から前記伸縮カバーの摺動箇所に供給する前記潤滑剤の量を調整するための潤滑剤供給量調整手段、とを有し、前記潤滑剤供給量調整手段は、可動側潤滑剤供給部材と固定側潤滑剤供給部材を備え、前記潤滑剤供給量調整手段は、前記潤滑剤を供給する前記伸縮カバーの摺動箇所の場所ごとに、前記可動側潤滑剤供給部材と前記固定側潤滑剤供給部材に供給する前記潤滑剤の量を調整し、前記潤滑剤供給量調整手段は、該潤滑剤供給手段の制御盤に設けられたボタン、ツマミ、またはレバー、若しくは、制御装置によって、前記潤滑剤の量を調整する、ことを特徴とする工作機械である。
【００１０】
本願の請求項３に係る発明は、前記潤滑剤供給量調整手段は、加工するワークの材質による切粉の性質の違いに対応して、供給する前記潤滑剤の量を調整する、ことを特徴とする請求項１または２に記載の工作機械である。
本願の請求項４に係る発明は、前記潤滑剤供給量調整手段は、前記工作機械の稼働時間の違いに対応して、供給する前記潤滑剤の量を調整する、ことを特徴とする請求項１乃至３のいずれか１つに記載の工作機械である。
【００１１】
本願の請求項５に係る発明は、前記潤滑剤供給量調整手段は、前記潤滑剤供給手段から前記伸縮カバーの摺動箇所に前記潤滑剤を供給する頻度を調整する、ことを特徴とする請求項１に記載の工作機械である。
本願の請求項６に係る発明は、前記潤滑剤供給量調整手段は、前記潤滑剤を供給する前記伸縮カバーの摺動箇所の場所によって、前記潤滑剤を供給する頻度を調整する、ことを特徴とする請求項５に記載の工作機械である。
【００１２】
本願の請求項７に係る発明は、前記潤滑剤供給量調整手段は、前記加工条件によって、前記潤滑剤を供給する頻度を調整する、ことを特徴とする請求項５または６に記載の工作機械である。
本願の請求項８に係る発明は、前記潤滑剤供給量調整手段は、加工するワークの材質による切粉の違いに対応して、前記潤滑剤を供給する頻度を調整する、ことを特徴とする請求項５乃至７のいずれか１つに記載の工作機械である。
本願の請求項９に係る発明は、前記潤滑剤供給量調整手段は、前記工作機械の稼働時間の違いに対応して、前記潤滑剤を供給する頻度を調整する、ことを特徴とする請求項５乃至８のいずれか１つに記載の工作機械である。
【発明の効果】
【００１３】
本発明により、工作機械に備え付けられたテレスコピックカバーの動きを滑らかにするとともに、テレスコピックカバーの場所による切粉の堆積量の違い、加工条件による切粉の発生量の違い、ワークの材質による切粉の性質の違い、機械の使用期間や稼動状況の違いにも対応して、テレスコピックカバーの破損や加工品の精度低下を防ぐことが可能となる。
【図面の簡単な説明】
【００１４】
【図１】本発明の実施形態の工作機械を説明する図である。
【図２】本発明の第２の実施形態の工作機械を説明する図である。
【図３】従来のテレスコピックカバーを備えた工作機械を説明する図である。
【発明を実施するための形態】
【００１５】
以下、本発明の一実施形態を図面と共に説明する。なお、従来技術の説明の構成または類似する構成については同じ符号を用いて説明する。
図１により本実施形態のテレスコピックカバーを備えた工作機械を説明する。図１（ａ）は本実施形態のテレスコピックカバーを備えた工作機械の上面図であり、図１（ｂ）は正面図である。本実施形態の工作機械の基本的な構成については、図３により説明した従来のテレスコピックカバーを備えた工作機械と同様である。
【００１６】
本実施形態の工作機械は、工作機械に取り付けられたテレスコピックカバー９，１０，１１，１２近傍に、潤滑剤供給部材を２種類設置していることに特徴がある。１つはテレスコピックカバー９，１０，１１，１２の可動側に設置されている可動側潤滑剤供給部材１３であり、もう１つはテレスコピックカバー９，１０，１１，１２の固定側に設置された固定側潤滑剤供給部材１４である。この２種類の潤滑剤供給部材に対して、潤滑剤供給装置１５から潤滑剤供給流路１６を経由して潤滑剤を供給し、テレスコピックカバー９，１０，１１，１２の表面に潤滑剤を適宜滴下する。
【００１７】
本実施の形態の工作機械において、潤滑剤供給装置１５に潤滑剤供給量調整手段１７を設け、テレスコピックカバー９，１０，１１，１２の表面に潤滑剤を滴下する際に諸条件に基づいて潤滑剤の供給量を調整できるように構成してもよい。
【００１８】
潤滑剤供給装置１５に設ける潤滑剤供給量調整手段１７の一例として、潤滑剤の滴下量を調整する潤滑剤滴下量調整手段として構成し、テレスコピックカバー９，１０，１１，１２の表面に潤滑剤を滴下する際に、滴下する場所（可動側潤滑剤供給部材１３、固定側潤滑剤供給部材１４の数量を含める）や加工するワークの材質により、潤滑剤滴下量調整手段を操作することにより潤滑剤の供給量を変更調整し、滴下量を変更できるようにしてもよい。なお、潤滑剤滴下量調整手段は、潤滑剤供給装置１５の制御盤上に設けられたボタンやツマミ、レバーの形式で実現してもよいし、手動で潤滑剤の供給量を調整できるのであればどのような構成としてもよい。
また、加工条件や加工プログラムにおける主軸の回転速度や送り量などの加工に関する指令値に基づいて、潤滑剤供給装置１５において潤滑剤滴下量調整手段を用いて潤滑剤の供給量を変更調整し、滴下量を変更しても良い。
【００１９】
更に、工作機械の使用期間や稼働時間に基づいて、潤滑剤供給装置１５において潤滑剤滴下量調整手段を用いて潤滑剤の供給量を変更調整し、潤滑剤の滴下量を変更しても良い。
なお、潤滑剤供給装置１５において潤滑剤滴下量調整手段により潤滑剤の供給量の調整を手動で行う代わりに、制御装置（図示せず）から潤滑剤供給装置１５に指令を出すことにより潤滑剤の供給量を変更調整し、滴下量を変更するように構成してもよい。このように構成することで、上述した、滴下する場所、加工するワークの材質、加工条件や加工プログラムにおける主軸の回転速度や送り量などの加工に関する指令値、工作機械の使用期間や稼働時間などをパラメータとして滴下量を自動的に制御することができる。
【００２０】
また、潤滑剤供給装置１５に設ける潤滑剤供給量調整手段１７の他の例として、潤滑剤を滴下する頻度を変更調整する潤滑剤滴下頻度調整手段として構成することも可能である。具体的に、テレスコピックカバー９，１０，１１，１２の表面に潤滑剤を滴下する際には、滴下する場所（可動側潤滑剤供給部材１３、固定側潤滑剤供給部材１４の数量を含める）や加工するワークの材質により、潤滑剤供給装置１５において潤滑剤滴下頻度調整手段を操作することにより潤滑剤の滴下頻度を変更できるようにする。潤滑剤滴下頻度調整手段は、潤滑剤供給装置１５の制御盤上に設けられたボタンやツマミ、レバーにより実現してもよいし、手動で滴下頻度を調整できるのであればどのような構造としてもよい。
また、加工条件や加工プログラムにおける主軸の回転速度や送り量などの、加工に関する指令値に基づいて、潤滑剤供給装置１５において潤滑剤滴下頻度調整手段を用いて潤滑剤の滴下頻度を変更するようにしてもよい。
【００２１】
更に、工作機械の使用期間や稼働時間に基づいて、潤滑剤供給装置１５において潤滑剤滴下頻度調整手段を用いて、潤滑剤の滴下頻度を変更しても良い。
なお、潤滑剤供給装置１５において潤滑剤滴下量調整手段により潤滑剤の滴下頻度の変更を手動で行う代わりに、制御装置（図示せず）から潤滑剤供給装置１５に指令を出すことにより、潤滑剤滴下頻度調整手段を用いて潤滑剤の滴下頻度を変更するように構成してもよい。このように構成することで、上述した、滴下する場所、加工するワークの材質、加工条件や加工プログラムにおける主軸の回転速度や送り量などの加工に関する指令値、工作機械の使用期間や稼働時間などをパラメータとして滴下頻度を自動的に制御することができる。
【００２２】
また、可動側潤滑剤供給部材１３、固定側潤滑剤供給部材１４の形状や数量は、工作機械の各部の形状や稼働環境に併せて適切な形状や数量を任意に選択することができる。さらに、潤滑剤については、ボールネジや直動ガイドに供給するオイルやグリスを流用しても良い。
【００２３】
本実施の形態では、テーブルが移動可能な工作機械において、テーブルの移動に伴い露出する部品を保護するためのテレスコピックカバーに対して潤滑液を供給する例について説明したが、本発明の適用範囲はこれに留まるものではなく、例えば、コラムが移動する形態の工作機械に対しても適用可能である。
図２（ａ）はコラムが移動する形態のテレスコピックカバーを備えた工作機械の上面図であり、図２（ｂ）は側面図である。
図２に示される工作機械では、ベッド１上にワーク７を固定するためのテーブル３が直接備え付けられている。また、ベッド１上にはベース１８を介して、先端に工具６が取り付けられた主軸５を支持するコラム４が設けられている。ベッド１の周囲にはスプラッシュガード８が設けられ、該スプラッシュガード８はベッド１の上部から工作機械全体を覆うように配置されている。
【００２４】
ベース１８とコラム４の間には、図示しない送り機構が設けられており、当該送り機構を駆動することによりコラム４が移動するように構成されている。そして、コラム４の移動に伴い上部に露出するベース１８上面、送り機構などを切粉などから保護するために、コラム４下部の正面部、背面部、両側面部には、それぞれテレスコピックカバー９，１０，１１，１２が設けられている。
【００２５】
このような構成においても、テレスコピックカバー９，１０，１１，１２近傍に、可動側潤滑剤供給部材１３、固定側潤滑剤供給部材１４を設置し、この２種類の潤滑剤供給部材に対して、潤滑剤供給装置１５から潤滑剤供給流路１６を経由して潤滑剤を供給し、テレスコピックカバー９，１０，１１，１２の表面に潤滑剤を適宜滴下することで、本発明の効果を得ることができる。
【符号の説明】
【００２６】
１    ベッド
２    サドル
３    テーブル
４    コラム
５    主軸
６    工具
７    ワーク
８    スプラッシュガード
９，１０，１１，１２    テレスコピックカバー
１３    可動側潤滑剤供給部材
１４    固定側潤滑剤供給部材
１５    潤滑剤供給装置
１６    潤滑剤供給流路
１７    潤滑剤供給量調整手段
１８    ベース
【図１】
0006457209.tif 000002
【図２】
0006457209.tif 000003
【図３】
0006457209.tif 000004